(57)【要約】【課題】  暖房運転時、暖気を直下方向に吹出せるようにして、室内の下方に届くようにするとともに、送風ファンを逆回転に切換えても吸込口からら低速で穏やかな気流を送出することができる空気調和機を提供することを目的とする。【解決手段】  本体１の前面に前面通気口２を形成し下面に下面通気口３を形成し、これらを水平流路６ａと垂直流路６ｂとからなる通風路６で結ぶ。水平流路６ａと垂直流路６ｂとが重なる領域には送風機７が傾斜して設置され、送風機７はプロペラファン７ａと、正回転及び逆回転可能なファンモータ７ｂとからなっている。また、水平流路６ａには前面通気口２に対峙して熱交換器８が配置されている。【選択図】図２
2012229842.tif 000002
【特許請求の範囲】
【請求項１】
本体の前面に形成された前面通気口と、本体の下面に形成された下面通気口と、前記前面通気口と前記下面通気口とを繋ぐ通風路と、プロペラファンと同プロペラファンを駆動する正転及び逆転が可能なファンモータとからなり前記通風路内に設けられた送風機と、前記前面通気口と前記送風機との間に設けられた熱交換器とで構成され、前記通風路が前記前面通気口に連なる水平流路と前記下面通気口に連なる垂直流路とからなり、前記送風機が、前記水平流路と前記垂直流路とが重なる領域に傾斜して配置されてなることを特徴とする空気調和機。
【発明の詳細な説明】
【技術分野】
【０００１】
本発明は、空気調和機に関わり、より詳細には、吹出方向を切換えても、一方の通気口から他方の通気口へ円滑に気流が流れる構成に関するものである。
【背景技術】
【０００２】
従来の空気調和機として、例えば図４で示す空気調和機３０は本体の前面に吸込口３１を設け、前面下部に吹出口３２を設けている。吸込口３１と吹出口３２とを結ぶ通風路３８には上部熱交換器３３ａと下部熱交換器３３ｂとからなる熱交換器３３と、送風ファン３４と、左右風向板３６及び上下風向板３７とが設けられ、吸込口３１から吸込まれた室内の空気は熱交換器３３を通過することにより冷媒と熱交換されるようになっている。熱交換された空気は送風ファン３４によりフロントガイダ３９とリアガイダ４０に案内されながら吹出口３２に送出され、左右風向板３６及び上下風向板３７に吹出方向を偏向されながら室内に吹出されるようになっている。
【０００３】
冷房運転時あるいは除湿運転時においては、吹出口３２からの下方への冷風あるいは除湿空気の吹き出しは必ずしも必要ではなく、使用者の肌に直接冷風が吹きつけられることにより不快感を与えることもあり、また、冷風は下降する性質があるため、風の吹き出し方向を上方へ変更した方が室内の温度分布には望ましい場合がある。これに対応すべく、送風ファン３４として正回転及び逆回転が可能な可逆回転ファンが用いられ、正回転時には、吸込口３１から空気を吸込み、吹出口３２から吹出す一方、逆回転時には、吹出口３２から空気を吸込み、吸込口３１から空気を吹出すようになっている。
【０００４】
冷房運転時、送風ファン３４が逆回転に切換えられると、室内の空気は吹出口３２から吸込まれ、送風ファン３４により熱交換器３３に向かい送出され、同熱交換器３４を通過して冷媒と熱交換されるようになっている。熱交換されて冷気となった空気は本体の前面に設けられた吸込口３１から室内の前方に向かい吹出されるようになっており、室内の遠方まで届くようになっている。
【０００５】
しかしながら、暖房運転時、吸込口３１から空気を吸込み、吹出口３２から暖気を吹出す際には、吹出口３２に連なる通風路３８はフロントガイダ３９とリアガイダ４０を有しているため、本体の斜め下方にしか暖気を吹出すことができず、上昇しやすい傾向にある暖気は室内の床面まで届かない不具合があった。
【先行技術文献】
【特許文献】
【０００６】
【特許文献１】特開２００２−１８１３４４号（５頁、図１）
【発明の概要】
【発明が解決しようとする課題】
【０００７】
本発明は、上記問題点に鑑み、冷房運転時と暖房運転時とで正逆転可能な送風ファンにより吹出口を切換えることができるとともに、暖房運転時、熱交換器での熱交換により生成された暖気を直下方向に吹出せるようにして、上昇し易い傾向にある暖気が室内の床面近傍まで届くようにした空気調和機を提供することを目的とする。
【課題を解決するための手段】
【０００８】
本発明は、上記課題を解決するため、本体の前面に形成された前面通気口と、本体の下面に形成された下面通気口と、前記前面通気口と前記下面通気口とを繋ぐ通風路と、プロペラファンと同プロペラファンを駆動する正転及び逆転が可能なファンモータとからなり前記通風路内に設けられた送風機と、前記前面通気口と前記送風機との間に設けられた熱交換器とで構成され、前記通風路が前記前面通気口に連なる水平流路と前記下面通気口に連なる垂直流路とからなり、前記送風機が、前記水平流路と前記垂直流路とが重なる領域に傾斜して配置されてなる。
【発明の効果】
【０００９】
本発明によれば、送風機を正転させた際は、前面通気口から吸込まれた室内の空気が、熱交換器を通過して冷媒と熱交換された後、下面通気口から吹出され、送風機を逆転させた際は、下面通気口から吸込まれた室内の空気が、熱交換器を通過して冷媒と熱交換された後、前面通気口から吹出されるようになっている。また、送風ファンをプロペラファンで構成し、水平流路と垂直流路とが重なる領域に前面通気口と前記下面通気口に対して傾斜して配置したことにより、暖房運転時、暖気が下方に垂直状に吹出せるようになっている。
【図面の簡単な説明】
【００１０】
【図１】本発明による空気調和機を示す外観斜視図である。
【図２】本発明による空気調和機の第一実施例を示す断面図である。
【図３】本発明による空気調和機の第二実施例を示す断面図である。
【図４】従来の空気調和機を示す断面図である。
【発明を実施するための形態】
【００１１】
以下、本発明の実施の形態を、添付図面に基づいた実施例として詳細に説明する。
【実施例１】
【００１２】
本発明による空気調和機は、図１の外観斜視図で示すように、本体１の前面に前面通気口２を形成し、本体１の下面に下面通気口３を形成しており、後述する送風機７を正回転させた場合は、前面通気口２から吸込まれた室内の空気は、後述する熱交換器８を通過して冷媒と熱交換された後、下面通気口３から吹出されるようになっている。また、送風機７を逆回転させた場合は、下面通気口３が吸込口となり下面通気口３から吸込まれた室内の空気は熱交換器８を通過して冷媒と熱交換された後、前面通気口２から室内に吹出されるようになっている。また、本体１の前面下部一側には、運転状態、室温等を表示する表示部４が設けられるとともに、リモートコントローラからの信号を受信する受信部５が設けられている。
【００１３】
本体１内には、図２の断面図で示すように、前面通気口２と下面通気口３とを結ぶ逆Ｌ字状の通風路６が形成されており、同通風路６は前面通気口２に連なる水平流路６ａと、下面通気口３に連なる垂直流路６ｂとからなっている。
【００１４】
水平流路６ａと垂直流路６ｂとが重なる領域には、送風機７が平流路６ａと垂直流路６ｂの軸線との角度が等しくなるように傾斜して設置されており、等しい角度で傾斜していることにより前面通気口２と下面通気口３とから、同等の空気を吹出せるようになっている。送風機７はプロペラファン７ａと、同プロペラファン７ａを駆動するファンモータ７ｂとからなり、ファンモータ７ｂは正回転及び逆回転可能となっている。正回転の場合は、室内の空気は、実線の矢印で示すように、前面通気口２から吸込まれ、通風路６を通り下面通気口３から吹出されるようになっており、逆回転の場合は、室内の空気は、破線の矢印で示すように、下面通気口３から吸込まれ、通風路６を通り前面通気口２から吹出されるようになっている。
【００１５】
通風路６の前面通気口２の近傍には、並列された複数のフィン８ａと、同フィン８ａに直交するように蛇行状に配設された伝熱管８ｂとからなる熱交換器８が配置されており、同熱交換器８は冷房運転時は、蒸発器となって通過する空気を冷媒により冷却し、暖房運転時には凝縮器となって通過する空気を冷媒により加熱するようになっている。同熱交換器８の下方となる水平流路６ａの下面は、熱交換器８から滴下する凝縮水を受けるように、下方に窪んだ露受皿１０となっている。同露受皿１０からは排出管１０ａが導出され、通風路６と本体１の背面との間に配置された配管ユニット１１に接続されるようになっており、熱交換器８から滴下し、露受皿１０に貯留された凝縮水は排出管１０ａと配管ユニット１１とを介して外部に排出されるようになっている。
【００１６】
以下、暖房運転時と冷房運転時の動作について説明する。尚、本体１は、図示しない室外機と冷媒配管により接続されるようになっており、室外機に備えられた圧縮機及び室外熱交換器と、室内機としての本体１内に備えられた熱交換器８との間で冷媒が循環し、熱交換器８で周囲を流れる空気と冷媒とが熱交換を行うことにより冷暖房運転が行われるようになっている。暖房運転時には、ファンモータ７ｂは正回転方向に回転されるようになっている。前面通気口２から吸込まれた室内の空気は熱交換器８を通過して同熱交換器８を流通する冷媒と熱交換され暖気となる。熱交換され暖気となった空気は送風機７により水平流路６ａから垂直流路６ｂに流入し、下面通気口３から本体１の直下方向に吹出されるようになっている。
【００１７】
本体１の下面に形成された下面通気口３から暖気が直下方向に吹出されることにより、室内の上部に上昇し易い傾向がある暖気が、風向板を使用しなくても室内の床面近傍まで届くようになり、暖房運転の効率を向上させることができるようになっている。
【００１８】
また、暖房運転時において、室温が設定値近傍に達したらファンモータ７ｂの回転を逆回転方向に切換えても良い。逆回転方向に切換えると、室内の空気は、点線の矢印で示すように、下面通気口３から通風路６に吸込まれ、熱交換器８を通過して冷媒と熱交換された後、前面通気口２から室内に吹出されるようになっている。
【００１９】
送風機７の正回転時あるいは逆回転時には、送風機７がプロペラファン７ａで構成されていることにより水平流路６ａ及び垂直流路６ｂには大きな静圧が生じ、前面通気口２あるいは下面通気口３からは低速で穏やかな気流が室内に送出されるようになっている。また、プロペラファン７ａが傾斜して配置されていることにより通風路形状の影響を受けずに、順方向及び逆方向に円滑に空気を送出することが可能となっており、ファンモータ７ｂの回転を逆回転方向に切換え、前面通気口２から吸込んだ空気を下面通気口３から室内に吹出しても、送風量あるいは風速を正回転方向時と同程度に維持し、低速で穏やかな気流が室内に送出されるようになっている。
【００２０】
次に、冷房運転時の動作について説明する。冷房運転時は、ファンモータ７ｂは逆回転方向に回転されるようになっている。下面通気口３から吸込まれた室内の空気は垂直流路６ｂと水平流路６ａとを通り熱交換器８を通過して同熱交換器８を流通する冷媒と熱交換され冷気となる。熱交換され冷気となった空気は前面通気口２から本体１の水平方向に吹出されるようになっている。また、熱交換器８の表面に凝縮した凝縮水は、露受皿１０に滴下した後、排出管１０ａと配管ユニット１１を介して外部に排出されるようになっている。
【００２１】
前面通気口２から冷気が吹出される際、暖気と同様に、プロペラファン７ａにより通風路６の水平流路６ａに生じる大きな静圧により前面通気口２からは低速で穏やかな気流が送出され、室内の遠方まで届くようになっている。これにより、冷気が人の肌に直接触れて不快感を感じさせる、所謂ドラフト感を防止できるとともに、室内の温度分布を均一にして快適性を高めることができるようになっている。
【００２２】
冷房運転時においても、必要に応じてプロペラファン７ａの回転方向を切換えられるようになっている。急速に室内を冷房したい場合等において、プロペラファン７ａを正回転方向に切換え、室内の空気を前面通気口２から吸込み熱交換器８を通過させて冷媒と熱交換した後、通風路６を介して下面通気口３から本体１の直下方向に吹出し、人の居る近傍に冷気を送出しても良い。
【実施例２】
【００２３】
次に、第二実施例について説明する。第二実施例は、図３で示すように、本体１ａの下面通気口３の近傍となる通風路６の垂直流路６ｂにも、熱交換器８と同様に構成された熱交換器９が配置されている。他の構成は実施例１と同様なので省略する。
【００２４】
垂直流路６ｂに熱交換器９を設けることにより、特に暖房運転時においてプロペラファン７ａを正回転方向に回転させた際、前面通気口２から吸込まれた室内の空気は水平流路６ａに配置された熱交換器８を通過して冷媒と熱交換された後、垂直流路６ｂに配置された熱交換器９を通過して再度熱交換され、下面通気口３から吹出されるようになっており、暖房効果をより向上させることができるようになっている。
【符号の説明】
【００２５】
１  本体
１ａ  本体
２  前面通気口
３  下面通気口
４  表示部
５  受信部
６  通風路
６ａ  水平流路
６ｂ  垂直流路
７  送風機
７ａ  プロペラファン
７ｂ  ファンモータ
８  熱交換器
８ａ  フィン
８ｂ  伝熱管
９  熱交換器
１０  露受皿
１０ａ  排出管
１１  配管ユニット
【図１】
2012229842.tif 000003
【図２】
2012229842.tif 000004
【図３】
2012229842.tif 000005
【図４】
2012229842.tif 000006